(57)【特許請求の範囲】
【請求項１】
各種警報信号を発する諸警報機器に所定の回線を介して接続されるとともに、警報表示手段を備え、前記所定の回線のうちのある回線を介して前記警報信号を受信したときにいずれの警報表示手段によって警報を表示するかというデータを有する火災受信機における前記データの設定を確認するデータの確認方法であって、
前記設定されたデータの内容について確認を行う確認モード時において、１つの警報表示手段が指定されると、その警報表示手段と連動関係にある前記諸警報機器に接続された前記所定の回線を示す表示を行うことを特徴とするデータの確認方法。
【請求項２】
各地区ごとに設けられた端末機器に接続され、前記端末機器から出力される各種イベントに関する信号が入力すると地区を問わずイベントの種類別に応じて、イベントが発生した旨の表示を行うイベント別表示手段を備え、イベントの種類別に応じていずれのイベント別表示手段を表示させるかというデータを有する火災受信機における前記データの設定を確認するデータの確認方法であって、
前記設定されたデータの内容について確認を行う確認モード時において、１つのイベント別表示手段が指定されると、そのイベント別表示手段に表示されるよう設定されたイベントの種類を示す表示を行うことを特徴とするデータの確認方法。
【請求項３】
請求項１又は２記載のデータの確認方法を有することを特徴とする火災受信機。
【請求項４】
履歴情報を記憶する記憶手段を備え、前記記憶手段は請求項１又は２記載のデータの確認方法で確認され得る前記データを記憶することを特徴とする請求項３に記載の火災受信機。
【請求項５】
記憶手段は、前記データを火災受信機の電源投入時または初期化時に記憶することを特徴とする請求項４に記載の火災受信機。
【発明の詳細な説明】
【０００１】
【発明の属する技術分野】
この発明は、火災感知器等の端末機器と地区音響の連動データなどのデータを有する火災受信機における、データの確認方法および火災受信機に関する。
【０００２】
【従来の技術】
建築物等に設けられる火災報知設備は、たとえば防災センター等に設置された火災受信機（以下、受信機ともいう）に対して、火災感知器や人の所定の操作により発報する発信機、あるいは地区音響等が、回線を介して接続されて構成される。これら火災感知器、発信機、地区音響等はたとえば１つのフロアーである１地区ごとに設置されている。
火災受信機は、火災感知器や発信機が接続された感知器回線と、地区音響が接続された地区音響回線とを連動させるための連動データを有し、火災感知器等から火災信号が入力すると、その連動データに基づいて、その火災信号を発報した地区に対応した地区の地区音響を鳴動させるようになっている。
【０００３】
前記連動データの設定では、感知器回線を連動元とし、１つの感知器回線に対して連動させたい地区音響回線（連動先）を設定するようになっており、設定後の確認についても、連動元を指定し連動先を表示する方法をとっていた。
【０００４】
【発明が解決しようとする課題】
しかしながら、上記のような確認方法では、１つの感知器回線に対して複数の地区音響回線を連動させるような複雑な設定の場合、確認が困難であったり確認ミスが生じたりしていた。
また、感知器回線と地区音響回線については上記の方法でデータ設定の確認を行っていたが、その他の回線の設定については確認作業を積極的には行っていなかった。たとえば、貯水槽の水の減少等の警報信号を火災受信機に対して送出する諸警報機器と、これら諸警報機器からの信号に対応して点灯する火災受信機の警報表示灯との対応関係や、地区に関係なく各地区で発生するイベントの種類に応じてイベント発生を表示するオプション表示におけるオプション表示灯とイベント状態との対応関係の設定データについては一度設定してしまうと、確認し直すということはあまりなされていなかった。
【０００５】
この発明は、上記実状に鑑みてなされたもので、感知器回線と地区音響回線との連動や、諸警報回線あるいはオプション表示についての火災受信機におけるデータ設定内容を確実に間違いなく確認できるデータの確認方法と、このような確認方法を採用している火災受信機を提供することを目的としている。
【０００６】
【課題を解決するための手段】
上記課題を解決するため、本発明の請求項１に記載の発明は、たとえば図１および図３に示すように、各種警報信号を発する諸警報機器（１１０）に所定の回線を介して接続されるとともに、警報表示手段（第１警報表示灯３２ａ、第２警報表示灯３２ｂ、第３警報表示灯３２ｃ）を備え、前記所定の回線のうちのある回線を介して前記警報信号を受信したときにいずれの警報表示手段によって警報を表示するかというデータを有する火災受信機（２０）における前記データの設定を確認するデータの確認方法であって、前記設定されたデータの内容について確認を行う確認モード時において、１つの警報表示手段が指定されると、その警報表示手段と連動関係にある前記諸警報機器に接続された前記所定の回線を示す表示を行うことを特徴とする。
【００１２】
請求項１に記載の発明によれば、各種警報信号を発する諸警報機器と、諸警報機器からの警報信号により警報を表示する警報表示手段との対応関係について、設定されたデータを確認できることから、設定ミスがあったとしても容易に分かり、より確実なデータ設定となる。ここで、警報表示手段としては、ＬＥＤ等による表示灯や、セグメント表示器等の文字表示画面が挙げられる。また、「所定の回線を示す表示を行う」とは、その回線の回線名を表示するようにしてもよいし、その回線に対応づけられた表示灯などを点灯・点滅させるといったことでもよい。
【００１３】
請求項２に記載の発明は、たとえば図１および図３に示すように、各地区ごとに設けられた端末機器（感知器４１、発信機４２）に接続され、前記端末機器から出力される各種イベントに関する信号が入力すると地区を問わずイベントの種類別に応じて、イベントが発生した旨の表示を行うイベント別表示手段（オプション１表示灯３３ｂｂ、オプション２表示灯スイッチ３３ｃｃ）を備え、イベントの種類別に応じていずれのイベント別表示手段を表示させるかというデータを有する火災受信機における前記データの設定を確認するデータの確認方法であって、前記設定されたデータの内容について確認を行う確認モード時において、１つのイベント別表示手段が指定されると、そのイベント別表示手段に表示されるよう設定されたイベントの種類を示す表示を行うことを特徴とする。
【００１４】
請求項２に記載の発明によれば、各地区で発生する各種イベントの種類別に応じて所定の表示を行うイベント別表示手段と、対応するイベントの種類について、設定されたデータを確認できることから、設定ミスがあったとしても容易に分かり、より確実なデータ設定となる。ここで、「端末機器」としては火災感知器や発信機あるいは防排煙機器などであり、「イベント」とは、火災や、回線の短絡・断線といった異常、あるいは防排煙機器の作動等を言う。さらに、「イベントの種類を表示」とは、たとえば、具体的にイベントの種類を文字やコード番号等で表示してもよいし、予め設定確認のためだけに所定の表示灯とイベントの種類を対応づけて設定しておき、その表示灯を点灯等させるようにしてもよい。イベント別表示手段としては、ＬＥＤ等による表示灯や、セグメント表示器等の文字表示画面が挙げられる。
【００１５】
請求項３に記載の発明は、請求項１又は２に記載のデータの確認方法を有することを特徴とする火災受信機である。請求項３に記載の発明の火災受信機であれば、各種データの設定内容について確認することができるので、データ設定のミスがない火災受信機となる。
【００１６】
また、請求項４に記載の発明は、請求項３に記載の火災受信機において、履歴情報を記憶する記憶手段（履歴記憶部２５）を備え、前記記憶手段は請求項１又は２に記載のデータの確認方法で確認され得る前記データを記憶することを特徴とする。
請求項５に記載の発明は、請求項４に記載の火災受信機において、記憶手段は、前記データを火災受信機の電源投入時または初期化時に記憶することを特徴とする。
【００１７】
請求項４および請求項５に記載の発明によれば、記憶手段に、本発明のデータの確認方法の確認対象となっているデータが記憶されていることから、記憶手段からデータを呼び出すことによって、データの確認を行うことができる。また、設定データが記憶手段に記憶されていることから、この記憶手段と通常の作業において用いるメモリとが別に設けられている場合、該メモリからのデータの読み出しが不可能となった際にも、記憶手段内のデータにより、設定データを復元することが可能である。
【００１８】
【発明の実施の形態】
以下、この発明の実施の形態について、図面を参照しながら説明する。
図１は、本発明の火災受信機２０を備える火災報知設備１０の構成を示すブロック図であり、該火災報知設備１０は、主に火災受信機２０、端末機器群４０、地区ベル群６０、諸警報機器１１０とから構成される。火災報知設備１０は、たとえば、複数のフロアを有する建築物に設置されて、この建築物の１つのフロアを１つの地区として、建築物全体の火災監視および火災の報知、あるいは消火作業等に関連する防災活動全般を担うものである。
【００１９】
火災受信機２０は、たとえば、建築物の防災センターや管理人室等に設置され、火災報知設備１０全体を統括・制御するもので、いわゆるＰ型受信機とよばれるものである。図２には火災受信機２０の正面図を示した。
火災受信機２０は、図１に示すように、ＣＰＵ（Central Processing Unit）２１と、このＣＰＵ２１に接続されたＲＯＭ（Read Only Memory）２７、ＲＡＭ（Random Access Memory）２２、表示部２８、端末用インターフェース２９、ベル用インターフェース３０、ＰＣ用インターフェース２６、諸警報用インターフェース３１、履歴記憶部２５、音響部２４、操作部２３とからなる。
【００２０】
ＲＯＭ２７は、火災受信機２０を作動させるための各種制御プログラムや制御データを格納するもので、ＲＡＭ２２は一時的にデータ等を記憶するもので、ＣＰＵ２１は、ＲＯＭ２７内の制御プログラムや制御データにしたがって、ＲＡＭ２２を作業領域としながら、火災受信機２０の各動作を制御するようになっている。
【００２１】
表示部２８は、火災報知設備１０の現在の状況を表示するためのもので、図２に示すように、火災受信機２０の正面に設けられており、第１表示部２８ａ、第２表示部２８ｂ、第３表示部２８ｃとからなる。図３には、第２表示部２８ｂ、第３表示部２８ｃの詳細を示した。
第１表示部２８ａは、各地区ごとに地区表示部としての地区窓７０，７０…が設けられ、各地区窓７０にはそれぞれＬＥＤ７１が１個設けられ、各地区の端末機器から火災受信機２０に対して信号が入力した際に、ＬＥＤ７１が点灯し、その地区におけるイベントの発生を火災受信機２０近傍の作業員等に知らせるようになっている。
なお、後述するように火災受信機２０は端末機器等と接続するために２０回線接続可能になっており、図２では、２０回線に対応して２０個の地区窓７０，７０…を示している。図２中、符号７０ａは第１地区Iに対応する地区窓であり、符号７０ｂは第２地区IIに対応する地区窓である。また、符号７２は、たとえば「１階フロア」等の地区名が記されたフロアプレートである。
【００２２】
地区窓７０は、各地区においてイベントが発生したときだけではなく、確認モードにおいて設定されたデータ内容の確認を行う際に点灯、または点滅表示するようになっている。
たとえば、感知器が接続された感知器回線と地区音響回線との連動関係を確認する際には、連動関係のある回線に対応する地区窓７０は点滅し、連動関係のない回線に対応する地区窓７０は消灯するようになっている。
【００２３】
第２表示部２８ｂには、火災報知設備１０に付属する各種機能が動作中であるか否かを表示するＬＥＤ群３２が設けられている。たとえば、後述するように諸警報機器１１０が作動すると、第１警報表示灯３２ａ、第２警報表示灯３２ｂ、あるいは第３警報表示灯３２ｃが点灯し、また、感知器４１（図１）により火災が発生したことが検出されると、火報火災代表灯３２ｅが点灯するようになっている。
第２表示部２８ｂには、警報音を発する警報ブザー部７２ａや、電話ジャック７３に接続された電話機用の電話スピーカー部７２ｂが設けられている。火災受信機２０では、いずれかの地区の地区ベル６１（図１）が鳴動すると、警報ブザー部７２ａからも警報音が発せられるようになっている。
【００２４】
第３表示部２８ｃには、本発明の表示手段としての３桁７セグメントの表示器７３が設けられており、この表示器７３にエラーコード等が表示されるようになっている。この表示器７３には、各種回線、たとえば感知器が接続された地区回線、ベル回線、その他後述する諸警報線等のうちの１つの回線を表示させることもでき、表示器７３の下方に設けられた送りスイッチ７４ａと戻りスイッチ７４ｂからなる回線選択スイッチ（回線選択手段）７４を操作することにより表示器７３に表示させる回線を選択することができる。また、データ設定時の回線選択を行うときにも回線選択スイッチ７４が使用される。
送りスイッチ７４ａ、戻りスイッチ７４ｂの直上には、これらスイッチが作動可能であることを表示するための回線選択表示灯７６，７６が設けられている。
【００２５】
操作部２３は火災報知設備１０における各種作業や端末機器の復旧等を作業者が指示するための各種スイッチからなるものである。操作部２３は、外観上は操作部２３単独で設けられているものではなく、図３に示すように、表示部２８の第２表示部２８ｂおよび第３表示部２８ｃ内、さらには受信機２０内部に設けられた操作盤９０（図４）に設けられている。
すなわち、操作部２３は、第２表示部２８ｂに設けられている音響停止スイッチ７７、地区音響停止スイッチ７８、第３表示部２８ｃに設けられているスイッチ群３３、および操作盤９０とからなる。
【００２６】
実行スイッチ３３ａは、後述するデータ設定モードにおいて、連動元を設定後連動先の設定を行う際の切り替えに使用される。
音響停止スイッチ７７は、火災受信機２０の警報ブザー部７２ａが鳴動している場合にこれを停止するもので、地区音響停止スイッチ７８は、各地区の地区ベル６１（図１）が鳴動している場合にこれを停止するものである。
スイッチ群３３は、火災報知設備１０において行われる各種機能をＯＮ／ＯＦＦするもので、たとえば、設定モードの際にデータ設定を実行するための実行スイッチ３３ａ等を有する。
【００２７】
また、火災受信機２０にはオプション機能が付与されており、スイッチ群３３には、オプション１スイッチ３３ｂ、オプション２スイッチ３３ｃ、およびオプション１表示灯３３ｂｂ、オプション２表示灯３３ｃｃが設けられている。
オプション機能とは、オプション１に火災信号が、オプション２に地区回路の断線・短絡等の異常信号が対応するように設定されている場合に、たとえば地区回路Iから火災信号が入力すると地区回路Iの地区窓７０ａが点灯すると同時に、オプション１表示灯３３ｂｂも点灯する機能である。つまり、あるイベントが発生した場合に、どの地区で発生したかということとは無関係に、イベントの種類別に応じて点灯表示し、警報を発するようになっている機能である。すなわち、オプション１表示灯３３ｂｂおよびオプション２表示灯３３ｃｃにより、本発明のイベント別表示手段は構成される。
【００２８】
ここでは、オプション１、オプション２が、どのようなイベントに対応するかという設定についても、後述するデータ設定モードで設定するようになっている。
なお、確認モードにおいて、オプション１，２の設定についての確認は、予め地区窓７０ａを火災設定、地区窓７０ｂを異常設定に対応させておき、確認するようになっている。
【００２９】
操作盤９０には、主にデータ設定のための各種スイッチ等が設けられており、データ設定スイッチ９１は、通常の火災監視モードからデータ設定モードに切り替える為のスイッチである。
登録／解除スイッチ９２はデータを設定あるいは解除するためのスイッチであり、このスイッチ９２を押すごとに、受信機２０のＲＯＭ２７に含まれるＥＥＰＲＯＭ（electrically erasable programmable ＲＯＭ、図示略）に書き込まれるようになっている。
項目選択スイッチ９３は連動先の設定終了後、さらに別の回線の設定を行う場合に連動元の設定に戻るために使用される。
【００３０】
確認スイッチ９４は、データ設定モードにおいて設定されたデータ内容について確認する確認モードに切り替える際に操作するスイッチであり、操作回数により確認内容を選択できるようになっており、１回操作で地区音響回線と感知器回線との連動データ、２回操作で諸警報機器１１０と警報表示灯３２a〜３２ｃの対応関係、３回操作でオプション機能とイベント種類の対応関係について、それぞれ確認できるようになっている。リセットスイッチ９５は、データ設定モード、確認モードを解除し、通常の監視モードに戻すためのスイッチである。
【００３１】
音響部２４は、地区ベル６１、６１…（図１参照）の鳴動を制御するもので、地区ベル群６０と音響部２４は、ベル用インターフェース３０を介して接続されている。
【００３２】
履歴記憶部（記憶手段）２５は、火災受信機２０に対して各地区回路の端末機器から入力したイベント情報や、操作部２３における各種スイッチ操作等、火災受信機２０に発生する全ての動作に関する情報（以下、履歴情報とする）をその時刻とともに記録するもので、常に最新のデータが記憶されるようになっている。
履歴記憶部２５に対して、外部のＰＣ（パーソナルコンピュータ）１００を外部ＰＣ用インターフェース１００を介して接続することによって、履歴情報をデータとして読み出すことができるようになっている。
また、履歴記憶部２５は、オプション１、２とイベントの種類との対応関係についてのデータ、後述する連動データおよび警報表示灯３２ａ、３２ｂ、３２ｃと回線１６〜回線２０との対応関係についてのデータ等のデータを、リセットスイッチ９５が操作されて火災受信機２０が初期化されたときに、前記ＥＥＰＲＯＭのデータ内容を記憶するようになっている。
【００３３】
端末機器群４０は、各地区ごとに設置されている各々の端末機器からなる。火災受信機２０は２０回線接続可能であり、そのうち１〜１５回線については火災感知器が接続された感知器回線が接続されている。図１では、１５の感知器回線のうち、便宜的に３つの地区、第１地区I、第２地区II、第３地区IIIを示している。
１地区を構成する感知器回線は、コモン線ＣとＬ１線（またはＬ２線、あるいはＬ３線）に、端末機器としての感知器４１，４１と発信機４２が並列に接続されてなる。コモン線ＣとＬ１線（Ｌ２線、Ｌ３線）は、端末用インターフェース２９を介して、火災受信機２０と接続されており、火災受信機２０は、コモン線ＣおよびＬ１線（Ｌ２線、Ｌ３線）を介して、制御信号を各端末機器に出力し、各端末機器からの応答信号を受信するようになっている。なお、本明細書中では、Ｌ１線、Ｌ２線、Ｌ３線を区別しないときは、Ｌ線と言うこともある。
【００３４】
各地区の発信機４２は、コモン線ＣとＬ１線（Ｌ２線、Ｌ３線）だけでなく、全ての地区を結ぶＡ線にも接続されており、発信機４２が押されると、Ｌ１線（Ｌ２線、Ｌ３線）だけでなく、Ａ線を介して火災受信機２０に対して発信機信号を出力するようになっている。
さらに、各地区回線の末端には、終端器４３が設けられており、この終端器４３から所定の電圧信号が火災受信機２０に対して定期的に出力されることによって、火災受信機２０はその地区回線の断線の有無を監視できるようになっている。
【００３５】
地区ベル群６０は、各地区に設置されている警報用の地区音響である地区ベル６１からなる。各地区の地区ベル６１は、全ての地区に共通であるベルコモン線ＢＣと１地区ごとのベル回線Ｂ１（あるいはＢ２、Ｂ３）に接続されている。これらベルコモン線ＢＣとベル回線Ｂ１（Ｂ２、Ｂ３）は、ベル用インターフェース３０を介して、火災受信機２０に接続されており、火災受信機２０は、ベルコモン線ＢＣおよびベル回線Ｂ１（Ｂ２、Ｂ３）を介して、ベル鳴動についての制御信号を送信し、各地区ベル６１からの応答信号を受信するようになっており、ベル回線Ｂ１（Ｂ２、Ｂ３）に接続された各地区ベル６１は、火災受信機２０からの制御信号により鳴動するようになっている。
図１では、便宜的に３地区のベル回線と、各ベル回線に３つずつの地区ベル６１を示している。
【００３６】
火災受信機２０は、ＲＯＭ２７中に各地区回路とベル回線の１つを連動させるためのデータ（連動データ）を有しており、１つの地区でイベントが発生した場合に、その地区に対応した箇所の地区ベル６１を鳴動させるようになっている。たとえば、火災受信機２０は、感知器４１から１回目の火災検出信号が入力したときは、連動データに基づいて、その感知器４１が設けられた地区（当該階）および直上階の地区の地区ベル６１を鳴動させ、その後、２回目の火災検出信号が入力したときは、連動データに無関係に全館の地区ベル６１を鳴動させるようになっている（区分鳴動方式）。
この連動データは、データ設定モードにおいて設定し、また、確認モードで確認できるようになっている。
【００３７】
諸警報機器１１０は、防災に関する諸警報を発する機器であり受信機２０に対して各種信号を出力するもので、たとえば、消火用水の貯水槽の水の量を検知する検知器や、スプリンクラー等の消火装置などであり、前記検知器により水が所定量以下になったことが検出されると、その旨の信号を火災受信機２０に出力したり、スプリンクラーが作動したときの作動信号を火災受信機２０に出力したりするものである。ここでは、諸警報機器１１０から受信機２０に対して出力される信号を警報信号という。
【００３８】
諸警報機器１１０は、基準電圧線である警報コモン線ＫＣと情報線である警報線Ｋからなる警報回線を介して、受信機２０の諸警報用インターフェース３１に接続されている。なお、本実施の形態の受信機２０は、前述のように、２０回線接続可能であり、感知器回線以外の、１６〜２０回線（所定の回線）が諸警報機器１１０と接続されており、これら１６〜２０回線が、複数の諸警報機器１１０に対応して複数設けられている警報線Ｋに接続されている。
このうち回線１６が貯水槽の水の減少を監視し、回線１７〜１９がスプリンクラー消火設備の起動弁の起動を監視し、回線２０がスプリンクラー消火設備の手動起動装置の操作を監視している。より具体的には、前記貯水槽の水の検出器やスプリンクラー消火設備の起動弁の接点が閉じられると出力が回線１６〜２０に取り込まれるようになっており、それにより警報信号が受信機２０に対して出力されるようになっている。
【００３９】
そして、回線１６から警報信号が受信機２０に対して出力されると第１警報表示灯３２ａ（図３）が点灯し、回線１７〜１９から警報信号が受信機２０に対して出力されると第２警報表示灯３２ｂ、回線２０からの警報信号が受信機２０に対して出力されると第３警報表示灯３２ｃが点灯するようになっている。さらに、第１警報表示灯３２ａ、第２警報表示灯３２ｂ、第３警報表示灯３２ｃが点灯すると、同時に警報ブザー７２ａから警報音が発せられるようになっている。
正常状態、つまり、前記検出器により水量が回復したことが検出されたり、スプリンクラーが動作を終了したりといったことにより、回線１６〜２０と接続している前記接点が開放されると、受信機２０に対する警報信号の送信は停止し、第１警報表示灯３２ａ、第２警報表示灯３２ｂ、第３警報表示灯３２ｃの点灯、および警報ブザー７２ａからの警報音も停止する。
【００４０】
第１警報表示灯３２ａ、第２警報表示灯３２ｂ、および第３警報表示灯３２ｃに対する回線１６、回線１７〜１９、および回線２０のそれぞれの対応関係については、データ設定モードにおいて設定するようになっており、設定後の内容については確認モードで確認できるようになっている。
【００４１】
図５には、火災受信機２０によって行われるデータ設定処理のフローチャートを示す。図５で示す設定処理は周知のものであり、感知器回線と地区音響回線、諸警報機器１１０と各表示灯３２ａ〜３２ｃ、オプション１，２とイベント種類の対応のいずれについても、この図５のフローに沿って行われるものであるので、以下では感知器回線について代表して説明する。
まずこの処理が開始すると、ステップＳ１において、通常の監視モードからデータ設定モードに切り替わったか否か判定される。データ設定スイッチ９１（図４）が操作され、データ設定モードに切り替わるとステップＳ２に移行する。スイッチ９１が操作されずデータ設定モードに切り替わらない間、ステップＳ１の判定を繰り返す。
【００４２】
ステップＳ２においては、実行スイッチ３３ａおよび回線選択スイッチ７４（図３）が操作されて、１つの地区回線に所望の地区音響回線が対応するよう設定する処理を行う。
次いで、ステップＳ３に移行し、登録／解除スイッチ９２を操作しステップＳ２における設定を登録あるいは解除する。１つの地区回線に対応して設定する地区音響回線が複数の場合、ステップＳ２、ステップＳ３の操作を繰り返す。
ステップＳ３の後、ステップＳ４において別の地区回線のデータ設定を行うかどうかが判定される。項目選択スイッチ９３が操作され別回線のデータ設定を行うと判定されれば、スイッチＳ２に戻り今度は別回線のデータ設定が行われる。項目選択スイッチ９３が操作されなければ、ステップＳ５に移行する。
ステップＳ５においては、データ設定モードが解除されたか否か、つまりリセットスイッチ９５が操作されたか否かが判定され、リセットスイッチ９５が操作されていなければステップＳ５の判定を繰り返し、リセットスイッチ９５が操作されれば、この設定処理を終了し、ステップＳ６において設定したデータを履歴記憶部２５に書き込み、火災受信機２０は通常の火災監視モードに戻る。
【００４３】
図６には、図５の方法で設定したデータの確認処理のフローチャートを示す。この処理は通常の火災監視モードから始まり、まず、ステップＳ１１において確認スイッチ９４（図４）がＯＮになったか否か判定される。確認スイッチ９４がＯＮにならなければステップＳ１１の判定が繰り返され、確認スイッチ９２がＯＮになると、ステップＳ１２に移行する。
ステップＳ１２において、確認スイッチ９４の操作回数ｎを確認する処理が行われる。次いでステップＳ１３に移行し、ここで確認スイッチ９４の操作回数ｎが１であるか否か判定する処理が行われ、ｎ＝１であればステップＳ１６に移行し、ｎ＝１でなければ、ステップＳ１４に移行する。ステップＳ１４では、ｎ＝２であるか否か判定され、ｎ＝２であればステップＳ２１に移行する。ｎ＝２でなければステップＳ３０に移行し、ここでｎ＝３であるか否か判定される。ｎ＝３であればステップＳ３０に移行し、ｎ＝３でなければステップＳ１５に移行する。ステップＳ１５において、ｎ＝０とする処理が行われ、ステップＳ１２に戻る。
【００４４】
ステップＳ１６に移行すると、地区音響回線と感知器回線の連動データの確認処理が始まり連動データが前記ＥＥＰＲＯＭから取得される処理が行われる。次いで、ステップＳ１７に移行し、表示器７３に、地区音響回線のうちの１つを表示すると同時に、その地区音響回線が連動している感知器回線の地区窓７０を点滅させる処理を行う。
【００４５】
次いで、ステップＳ１８において、回線選択スイッチ７４の送りスイッチ７４ａまたは戻りスイッチ７４ｂが操作されたか否か判定され、操作されていると判定されればステップＳ１９に移行し、ステップＳ１８における操作に応じて、地区音響回線の表示を変えるとともに、その地区音響回線が連動している感知器回線の地区窓７０を点滅させる処理を行う。
ステップＳ１９の後、およびステップＳ１８において回線選択スイッチ７４が操作されていない場合、ステップＳ２０に移行する。ステップＳ２０において、リセットスイッチ９５が操作されたか否か判定され、操作されていなければステップＳ１７に戻り設定の確認処理を繰り返す。
ステップＳ１７の処理を繰り返すことにより、作業者等は、連動先である１地区音響回線に対して、いずれの感知器回線が連動元として、設定されているか確認することができる。
【００４６】
また、ステップＳ１４の後、ステップＳ２１に移行すると、前記回線１６〜２０と警報表示灯の対応関係の確認処理が始まる。ステップＳ２１においては、前記回線１６〜２０と第１、第２、第３警報表示灯３２ａ、３２ｂ、３２ｃとの対応関係のデータを前記ＥＥＰＲＯＭから取得する処理がなされる。
次いで、ステップＳ２２において、警報表示灯の１つを点滅させ、その警報表示灯の番号を表示器７３に表示させると同時に、対応している回線の地区窓７０を点滅させる。たとえば第１警報表示灯３２ａを点滅させれば、「１」を表示器７３に表示させ、かつ、回線１６に対応する地区窓７０を点滅させる。
【００４７】
次いで、ステップＳ２３に移行し、ここで、回線選択スイッチ７４が操作されたか否か判定する処理がなされ、操作されていれば、ステップＳ２４に移行する。ステップＳ２４においては、ステップＳ２３における操作に応じて、点滅させる警報表示灯と表示器の内容を変え、たとえば、第２表示灯３２ｂを点滅させ表示器７３に「２」を表示させ、同時に回線１７に対応する地区窓を点灯させる。次いで、ステップＳ２５に移行し、リセットスイッチ９５が操作されたか否か判定され、操作されていなければステップＳ２２に戻り設定の確認処理を繰り返す。
ステップＳ２２の処理を繰り返すことにより、各警報表示灯がどの回線（どの諸警報機器）に対応しているのかを確認することができる。
なお、１つの警報表示灯に複数の回線が対応している場合、前記のように先頭の回線（回線１７〜１９のうちの回線１７）に対応する地区窓のみを点滅させてもよいし、全ての回線に対応する地区窓を点滅させてもよい。
【００４８】
ステップＳ３１に移行すると、オプション機能とイベントの種類の対応関係の確認処理が始まる。ステップＳ３１において、前記ＥＥＰＲＯＭから、オプション１およびオプション２と、前述のようにイベント状態と対応づけられた地区窓７０ａ、７０ｂとの関係のデータを取得する処理が行われる。
次いで、ステップＳ３２に移行し、オプション１表示灯３３ｂを点灯させるとともに、確認のために火災設定されている地区窓７０ａを点滅させる。これにより、オプション１が火災信号に対応していることを確認できる。
次いで、ステップＳ３３において、オプション２スイッチ３３ｃがＯＮ状態であるか否か判定され、ＯＮされていればステップＳ３４に移行し、オプション１表示灯３３ｂｂを消灯し代わりにオプション２表示灯３３ｃｃを点滅させると同時に、地区窓７０ｂを点滅させる処理を行う。これにより、オプション２が短絡・断線といった異常信号に対応していることを確認できる。
次いで、ステップＳ３５に移行し、リセットスイッチ９５が操作されたか否か判定され、操作されていなければステップＳ３２に戻りオプション１、オプション２の確認処理を繰り返す。
【００４９】
ステップＳ２０、ステップＳ２５、およびステップＳ３５において、リセットスイッチ９５がＯＮであると判定されると、このデータ設定確認処理を終了し、通常の火災監視モードに戻る。
【００５０】
以上の火災受信機２０およびこの火災受信機２０におけるデータの確認方法によれば、感知器回線と地区音響回線について、連動先である地区音響回線を指定して、その指定した地区音響回線に対してどの感知器回線が対応しているか確認できるので、１つの感知器回線に対して複数の地区音響回線が対応するように設定されていたとしても、間違いなく確認することができる。
【００５１】
また、オプション機能とイベント種類との対応関係や、諸警報機器を接続している受信機２０の回線と第１、第２、第３警報表示灯３２ａ、３２ｂ、３２ｃとの対応関係についても、確認することができるので、設定ミスをした場合にも間違いに気づき、より確実に設定することができる。
【００５２】
また、本発明においては、上記確認方法に加えて、従来通り、感知器回線と地区音響回線の確認方法について、連動先の感知器回線を指定して確認することもできるようになっており、その場合、感知器回線の番号を表示器７３に表示させると、設定されている地区音響回線に対応する地区窓が点灯または点滅し、連動の有無を確認することができる。
このように、連動先からも確認できることにより、必要に応じて、連動元、連動先からの確認方法を選択すればよく、利便性が向上する。
【００５３】
なお、本発明は上記実施の形態に限定されることはなく、適宜変更可能であることは勿論である。
たとえば、諸警報機器１１０について警報表示を行う表示灯は３つ、また、オプション機能についての表示灯は２つであったが、これらはいくつでもよいし、表示方法についても表示灯に限らず文字表示などでもよい。
また、連動データについて、上記の実施の形態に限らず、たとえば、火災感知器が作動した地区の地区ベルのみ鳴動する設定としてもよいし、火災感知器が作動した地区を中心に３つ以上の地区の地区ベルが鳴動する設定としてもよい。
【００５４】
【発明の効果】
請求項１に記載の発明によれば、各種警報信号を発する諸警報機器と、諸警報機器からの警報信号により警報を表示する警報表示手段との対応関係について、設定されたデータを確認できることから、設定ミスがあったとしても容易に分かり、より確実なデータ設定となる。
【００５７】
請求項２に記載の発明によれば、各地区で発生する各種イベントの種類別に応じて所定の表示を行うイベント別表示手段と、対応するイベントの種類について、設定されたデータを確認できることから、設定ミスがあったとしても容易に分かり、より確実なデータ設定となる。
【００５８】
請求項３に記載の発明の火災受信機であれば、各種データの設定内容について確認することができるので、データ設定のミスがない火災受信機となる。
【００５９】
請求項４および請求項５に記載の発明によれば、記憶手段に、本発明のデータの確認方法の確認対象となっているデータが記憶されていることから、記憶手段からデータを呼び出すことによって、データの確認を行うことができる。また、設定データが記憶手段に記憶されていることから、この記憶手段と通常の作業において用いるメモリとが別に設けられている場合、該メモリからのデータの読み出しが不可能となった際にも、記憶手段内のデータにより、設定データを復元することが可能である。
【図面の簡単な説明】
【図１】本発明の火災報知設備の一例を示すブロック図である。
【図２】図１の火災報知設備に備えられる火災受信機の正面図である。
【図３】図２の火災受信機の表示部の一部を示す拡大図である。
【図４】図２の火災受信機内部の操作盤を示す図である。
【図５】火災受信機におけるデータ設定処理のフローチャートを示す。
【図６】火災受信機における設定されたデータの確認処理のフローチャートを示す。
【符号の説明】
１０    火災報知設備
２０    火災受信機
２１    ＣＰＵ
２２    ＲＡＭ
２３    操作部
２５    履歴記憶部（記憶手段）
２７    ＲＯＭ
２８    表示部
２９    端末用インターフェース
３０    ベル用インターフェース
３１    諸警報用インターフェース
３２ａ    第１警報表示灯
３２ｂ    第２警報表示灯
３２ｃ    第３警報表示灯
３３ａ    実行スイッチ
３３ｂ    オプション１スイッチ
３３ｂｂ    オプション１表示灯（イベント別表示手段）
３３ｃ    オプション２スイッチ
３３ｃｃ    オプション２表示灯（イベント別表示手段）
４０    端末機器群
４１    感知器（端末機器）
４２    発信機（端末機器）
６０    地区ベル群
６１    地区ベル（地区音響）
７０、７０ａ、７０ｂ    地区窓（地区表示部）
７１    ＬＥＤ
７３    表示器（表示手段）
７４    回線選択スイッチ（回線選択手段）
７４ａ    送りスイッチ
７４ｂ    戻りスイッチ
９０    操作盤
９１    データ設定スイッチ
９２    登録／解除スイッチ
９３    項目選択スイッチ
９４    確認スイッチ
９５    リセットスイッチ
１１０    諸警報機器
【図１】
0003808260.tif 000002
【図２】
0003808260.tif 000003
【図３】
0003808260.tif 000004
【図４】
0003808260.tif 000005
【図５】
0003808260.tif 000006
【図６】
0003808260.tif 000007